(57)【要約】      （修正有）【課題】文字などの描線が二重に見えず、長期間の使用によっても剥げず、さらに繊細な文字などの描線が一品であっても安定して明記することが可能な描線入り鏡を提供する。【解決手段】描線入り鏡は、透明基板１１の表面側又は裏面側からＹＡＧレーザ光Ｌを照射し、反射層１２、保護層１３及び透明基板１１の裏面の一部を除去することによりパターンを描いたマイクロクラック２０を発生させ、該マイクロクラック２０内に埋め込まれる、もしくは、マイクロクラック２０を覆う着色層２１が設けられている。着色層２１は、彩色用塗料が採用され、その色彩がマイクロクラック２０の部分でのみ色付きの描線１として透明基板１１の表面から視認されている。【選択図】図１
0003156704.tif 000002
【実用新案登録請求の範囲】
【請求項１】
透明基板の裏面に反射層を設け、該反射層を保護層で被覆した鏡本体に描線を明記した描線入り鏡であって、
前記透明基板の表面側又は裏面側からＹＡＧレーザ光を照射し、反射層、保護層及び透明基板の裏面の一部を除去することによりパターンを描いたマイクロクラックを発生させ、該マイクロクラック内に埋め込まれる、もしくは、マイクロクラックを覆う着色層が設けられていることを特徴とする描線入り鏡。
【考案の詳細な説明】
【技術分野】
【０００１】
本考案は、鏡本体に名前や模様などの描線を明記した描線入り鏡に関する。
【背景技術】
【０００２】
鏡は、透明なガラスなどの透明基板の裏面に銀からなる反射層を設け、この反射層を保護層によって被覆したものであるが、鏡の隅部に、社名や商標など（以下、「文字」と総称する。）を明記した描線入り鏡も提供されている。文字が透明基板の表面にインクなどによって塗布された描線入り鏡は、インクが剥げやすいだけでなく、文字が反射層に反射して、二重に見えるという不具合を有するものとなっている。
【０００３】
そのため、透明基板の裏面に文字を明記する方法も提案されている。この方法は、透明基板の裏面に文字を明記し、その後、透明基板を清浄したうえで反射層を設けなければならないため、製造工程が複雑となり、少量多品種ないし一品生産に不向きなものとなっている。
【０００４】
このような各不具合を解消した鏡の製造方法が特許文献１に記載されている。この鏡の製造方法は、透明基板の裏面に反射層を設けた鏡を形成した後に、ＹＡＧレーザ光を透明基板を通して反射層に照射し、反射層の一部に画像（文字）を形成することを特徴としている。
【０００５】
この鏡の製造方法によれば、反射層の一部に画像が形成されるため、画像が二重に見えないだけでなく、長期間使用されても画像が剥げず、さらに、鏡を製造した後に画像を形成するため、少量多品種の鏡を好適に製造することができる。
【先行技術文献】
【特許文献】
【０００６】
【特許文献１】特開平７−１３６０４７号公報
【考案の概要】
【考案が解決しようとする課題】
【０００７】
特許文献１に記載された鏡の製造方法にあっては、ＹＡＧレーザ光が透明基板を損傷させないように、ＹＡＧレーザ光の出力調整範囲が極めて狭くされており、そのため、加工の安定性に欠け、さらに、繊細な文字などを形成することができないという不具合を有するものになっている。
【０００８】
そこで、本考案は、文字などの描線が二重に見えず、長期間の使用によっても剥げないようにし、さらに繊細な文字などの描線が一品であっても安定して明記することが可能な描線入り鏡を提供することを課題とする。
【課題を解決するための手段】
【０００９】
本考案に係る描線入り鏡は、透明基板の裏面に反射層を設け、該反射層を保護層で被覆した鏡本体に描線を明記した描線入り鏡であって、前記透明基板の表面側又は裏面側からＹＡＧレーザ光を照射し、反射層、保護層及び透明基板の裏面の一部を除去することによりパターンを描いたマイクロクラックを発生させ、該マイクロクラック内に埋め込まれる、もしくは、マイクロクラックを覆う着色層が設けられていることを特徴としている。
【００１０】
この描線入り鏡によれば、着色層の色彩がパターンを描いたマイクロクラックの部分でのみ色付きの文字などの描線として透明基板の表面から視認することができる。そして、透明基板の表面側又は裏面側からＹＡＧレーザ光を照射することにより、描線を個別に、換言すれば一品であっても安定して明記することができ、また、この描線が透明基板の裏面側に明記されることによって、描線は二重に見えないだけでなく、長期間の使用によっても剥げることがないようにされている。
【考案の効果】
【００１１】
本考案によれば、文字などの描線を個別に明記した描線入り鏡が提供されるため、例えば、この描線入り鏡は、名前などを明記した各自の持ち物として、あるいはプレゼント用として使用することができる。
【図面の簡単な説明】
【００１２】
【図１】本考案に係る描線入り鏡の一実施形態を示す一部断面概略斜視図である。
【図２】本考案に係る描線入り鏡の製造途中の一実施形態を示す概略断面正面図である。
【図３】本考案に係る描線入り鏡の製造途中の一実施形態を示す要部拡大概略断面正面図である。
【考案を実施するための形態】
【００１３】
本考案に係る描線入り鏡の一実施形態について図１ないし図３を参照しながら説明する。この描線入り鏡は、ガラスやアクリル樹脂製板などの透明基板１１の裏面に反射層１２を設け、該反射層１２を保護層１３で被覆した鏡本体１０に描線１を明記したものであるが、ＹＡＧレーザ光（以下、「レーザ光」という。）Ｌによって透明基板１１の裏面に描線１を明記したことを特徴としている。描線１として、英文字、片仮名、平仮名などによる名前（名、氏、氏名）、その他の文字、マーク、線画、模様などが明記される。
【００１４】
反射層１２は、レーザ光Ｌが照射されて蒸発する銀やアルミニウムなどが透明基板１１の裏面に蒸着されることによって設けられる。また、保護層１３は、レーザ光Ｌが照射されて蒸発する塗料によって形成されている。
【００１５】
そして、透明基板１１の裏面に描線１を明記するため、鏡本体１０は、図２に示すような桝状の支持台１００に載せられる。支持台１００は、基盤１０１の周囲に枠部１０２を設けたものとされ、枠部１０２が鏡本体１０の保護層１３の周囲を支持し、保護層１３と基盤１０１との間に空間部１０３を設けるようにされている。また、支持台１００に載せられた鏡本体１０の透明基板１１の上方には、集光レンズ１１０が配置されている。
【００１６】
そして、レーザ光Ｌとして例えば、波長が１．０６μｍ、平均出力３Ｗ、繰返し１ｋHzのシングルモードＹＡＧレーザパルス光を用い、焦点距離が７ｃｍのレンズを用いる場合は、反射層１２に焦点が合い、レーザ光Ｌ又は鏡本体１０を移動させる。あるいは、マルチモードの平均出力５０Ｗ、繰返し５kHzのパルスＹＡＧレーザ光Ｌを用い、焦点距離が１０ｃｍのレンズを用いることにより、焦点を反射層１２よりも後方約５ｍｍの位置に設定してもよい。
【００１７】
このようなレーザ光Ｌは、レーザ光発信装置（図示せず）から照射され、集光レンズ１１０によって任意の直径に集光され、焦点が反射層１２に一致し、又は反射層１２の後方に合わせられ、反射層１２及び保護層１３を加熱する。すると、反射層１２及び保護層１３が溶融し、図３に示すように、この部分にマイクロクラック２０が発生する。また、レーザ光Ｌの焦点が透明基板１１の裏面に近接ないし一致させ、あるいは大きなエネルギのレーザ光Ｌが照射することにより、透明基板１１の裏面にもマイクロクラック２０が発生する。
【００１８】
なお、支持台１００の基盤１０１と鏡本体１０の保護層１３との間に空間部１０３が設けられているため、溶融した残渣が、鏡本体１０の保護層１３に付着することなく空間部１０３内に堆積し、このことによって、マイクロクラック２０が良好に発生する。
【００１９】
そして、レーザ光Ｌ又は鏡本体１０を移動させることにより、マイクロクラック２０が線状になり、描線１のパターンが描かれる。続いて、このマイクロクラック２０に埋め込まれる着色層２１が設けられて描線入り鏡が完成する。着色層２１は、鏡本体１０の裏面に彩色用塗料が塗布されることによって設けられる。
【００２０】
この描線入り鏡を正面から見ると、マイクロクラック２０によって描かれたパターンに彩色された描線１が名前などの文字や模様などとして視認される。着色層２１は、任意の色彩の着色塗料を選択することができるため、描線１は、使用者の好みの彩色が施される。
【００２１】
なお、マイクロクラック２０が小さいと、マイクロクラック２０内に着色塗料が浸透しないが、このような場合であっても、着色塗料がマイクロクラック２０を覆う着色層２１となるため、正面から見られた描線入り鏡は、マイクロクラック２０内で僅かな光の乱反射が起こり、光輝のある幻想的なパターンを視認することができるものとなる。
【００２２】
また、着色層２１は、彩色用塗料でなく、マイクロクラック２０を覆うホログラム（図示せず）を反射層１２に貼付することによって設けてもよい。この描線入り鏡は、ホログラムによって虹色の描線１を視認することができるものとなる。
【００２３】
いずれにしても、描線１は透明基板１１の表面でなく、裏面に明記されていることにより、長期間の使用によって剥げたり、二重に見えたりしないものとされている。また、この描線入り鏡は、名前などを個別に明記されるため、オリジナリティが発揮される。
【００２４】
なお、本考案は、前記の実施形態に限定することなく、種々変更することができる。例えば、着色層２１は、着色塗料やホログラム以外に色付きのテープや紙などによって設けてもよい。また、レーザ光は、透明基板１１の裏面側から照射することにより、保護層１３、反射層１２から透明基板１１の裏面にマイクロクラック２０を発生させてもよい。
【符号の説明】
【００２５】
１………描線
１０……鏡本体
１１……透明基板
１２……反射層
１３……保護層
２０……マイクロラック
２１……彩色用塗料
Ｌ………ＹＡＧレーザ光
【図１】
0003156704.tif 000003
【図２】
0003156704.tif 000004
【図３】
0003156704.tif 000005